(57)【要約】【課題】  外張り断熱材の施工が簡単で、取付け強度も強くなる断熱パネルを提供する。【解決手段】  建物の柱材１間の間隔と同じ間隔を隔てて複数のスペーサ部２を連設部３で連設してスペーサ部材４を構成し、上記スペーサ部２間の間隔を断熱材５の端部を嵌め込むための嵌め込み凹部６とする。このスペーサ部材４を面板７の片面の上部に接着し、該面板７の片面の上部に接着したスペーサ部材４の嵌め込み凹部６に断熱材５の上端部を嵌め込むと共に該断熱材５を面板７の片面に接着し、該断熱材５の下部に別のスペーサ部材４の嵌め込み凹部６を嵌め込むと共に該別のスペーサ部材４を面板７の片面に接着することで断熱パネル８を構成する。【選択図】        図１
2010126916.tif 000002
【特許請求の範囲】
【請求項１】
建物の柱材間の間隔と同じ間隔を隔てて複数のスペーサ部を連設部で連設してスペーサ部材を構成し、上記スペーサ部間の間隔を断熱材の端部を嵌め込むための嵌め込み凹部とし、上記スペーサ部材を面板の片面の上部に接着し、該面板の片面の上部に接着したスペーサ部材の嵌め込み凹部に断熱材の上端部を嵌め込むと共に該断熱材を面板の片面に接着し、該断熱材の下部に別のスペーサ部材の嵌め込み凹部を嵌め込むと共に該別のスペーサ部材を面板の片面に接着して成ることを特徴とする断熱パネル。
【発明の詳細な説明】
【技術分野】
【０００１】
本発明は、断熱パネルに関するものである。
【背景技術】
【０００２】
従来から、外張り断熱工法で形成した外壁の断熱構造として、特許文献１に示される従来例が知られている。
【０００３】
上記特許文献１に示された従来例の外壁の断熱構造にあっては、柱材（間柱も含む）の外面側に構造用面板を固着し、この構造用面板の外面側に外張り断熱材を釘打ちにより固着し、外張り断熱材の外面側に通気胴縁を配置して、該通気胴縁を外張り断熱材を介して柱に釘打ちにより固着し、通気胴縁に外装材を固着していた。
【０００４】
上記の構成の従来例にあっては、外張り断熱材を柱等に固着するに当たり、まず、柱の外面に構造用面板を固着した後、外張り断熱材を釘打ちにより仮止めし、その後、外張り断熱材に桟を重ねて、桟を外張り断熱材を介して柱に釘打ちにより固着する作業が必要となり、外張り断熱材の取付け作業が面倒である。
【０００５】
また、桟は外装材を取付けて支持するものであるから、十分な取付け強度を必要とする。ところが、従来にあっては、桟を外張り断熱材を介して釘打ちで取付けるため、取付け強度を確保するには柱への打ち込み深さが十分取れるように長い釘を必要とし、作業に手間がかかる。しかも、長い釘を用いて柱に十分に長い打ち込み長を確保したとしても、該釘の途中は発泡合成樹脂のような支持強度のない外張り断熱材を貫通しているため、曲げに対しては弱いという問題があった。
【特許文献１】特開２００３−３３６３２９号公報
【発明の開示】
【発明が解決しようとする課題】
【０００６】
本発明は上記の従来の問題点に鑑みて発明したものであって、柱材間の断熱性を確保する外張り断熱材の施工が簡単で、取付け強度も強くなる断熱パネルを提供することを課題とするものである。
【課題を解決するための手段】
【０００７】
本発明の断熱パネル８は、スペーサ部材４と、面板７と、断熱材５とを備える。スペーサ部材４は、建物の柱材１間の間隔と同じ間隔を隔てて複数のスペーサ部２を連設部３で連設して構成する。上記スペーサ部２間の間隔を断熱材５の端部を嵌め込むための嵌め込み凹部６とする。このスペーサ部材４を面板７の片面の上部に接着し、該面板７の片面の上部に接着したスペーサ部材４の嵌め込み凹部６に断熱材５の上端部を嵌め込むと共に該断熱材５を面板７の片面に接着し、該断熱材５の下部に別のスペーサ部材４の嵌め込み凹部６を嵌め込むと共に該別のスペーサ部材４を面板７の片面に接着することで断熱パネル８を構成する。
【０００８】
このような構成とすることで、柱材１の外面側に断熱パネル８を配置して、断熱パネル８に設けたスペーサ部材４部分で土台１２、１階の梁１３、あるいは、２階の梁１３、あるいは、柱材１に固着具９により固着することができる。この際、固着具９はスペーサ部材４、面板７を貫通して土台１２、１階の梁１３、あるいは、２階の梁１３、あるいは、柱材１に固着されるので、断熱材５を貫通することなく固着具９による固着が強固となる。また、断熱材５は柱材１間の間隔と同じ間隔を隔てているスペーサ部２間の間隔に嵌め込み支持されているので、柱材１間に対応した部分に正確に断熱材５が配置されることになって、柱材１間の断熱性を確保することができる。
【発明の効果】
【０００９】
本発明は、上記のように構成したので、スペーサ部材部分で柱材に固着具により固着することで、簡単且つ確実に断熱材を備えた断熱パネルを施工でき、柱材間の断熱性を確保する断熱パネルの施工が簡単で、取付け強度も強くなる。また、柱材間の間隔と同じ間隔を隔てているスペーサ部間の間隔に断熱材を嵌め込み支持するので、柱材間に対応した部分に正確に断熱材が配置され、簡単な構成で、柱材間の断熱性を確保することができる。
【発明を実施するための最良の形態】
【００１０】
以下、本発明を添付図面に示す実施形態に基いて説明する。
【００１１】
断熱パネル８は図１、図３、図４、図５に示すようなもので、スペーサ部材４と、面板７と、断熱材５とを備えたものである。スペーサ部材４は建物の柱材１間の間隔と同じ間隔Ｍを隔てて複数のスペーサ部２を連設部３で連設することで構成してある。
【００１２】
ここで、スペーサ部２、連設部３のいずれか一方、又は両方が、土台１２、１階の梁１３、２階の梁１３、柱材１等への固定、及び、後述の胴縁が固定される固定部１１となっている。
【００１３】
図１、図４に示す実施形態はスペーサ部２が固定部１１となっている例であり、図３、図５に示す実施形態は連設部３が固定部１１となっている例である。
【００１４】
断熱パネル８の形成を図１の断熱パネル８を例にして説明する。まず、図２（ａ）のように、面板７の片面の上部にスペーサ部材４の長手方向が面板７の幅方向と平行となるように横向きに配置して接着固定する。このように、面板７の片面の上部にスペーサ部材４を接着することで、スペーサ部２間が嵌め込み凹部６となる。
【００１５】
次に、図２（ｂ）のように、面板７の片面の上部と下部に両面粘着テープ１０を貼付ける。
【００１６】
次に、図２（ｃ）のように、上記スペーサ部材４の嵌め込み凹部６に、巾方向の長さが柱材１間の間隔と同じ長さの断熱材５の上端部を嵌め込んで位置決め支持した状態で該断熱材５を面板７の片面に上記両面粘着テープ１０で接着する。なお、断熱材５の上下方向の長さは、土台１２と１階の梁１３までの長さ、あるいは、１階の梁１３から２階の梁１３までの長さと同じか又は少し長くなっている。このように、スペーサ部２間の嵌め込み凹部６に断熱材５の上端部を嵌め込むので、断熱材５の位置決め仮保持が簡単にでき、断熱材５を面板７の片面の正確な位置に接着できる。
【００１７】
次に、図２（ｄ）のように断熱材５の下部に別のスペーサ部材４の嵌め込み凹部６を嵌め込むと共に該別のスペーサ部材４を面板７の片面の下部に接着固定する。
【００１８】
上記図２においは図１に示す断熱パネル８の形成例で説明したが、図３、図４、図５に示す断熱パネル８も上記と同様にして形成する。
【００１９】
このようにして構成した断熱パネル８は現場で以下のようにして施工される。
【００２０】
図６乃至図９のように、土台１２と１階の梁１３との外面側、又は、１階の梁１３と２階の梁１３との外面側に上記構成の断熱パネル８を配置し、上下のスペーサ部材４の固定部１１から釘のような固着具９を打入して、土台１２、１階の梁１３、１階の柱材１等に固着したり、１階の梁１３、２階の梁１３、２階の柱材１等に固着したりする。
【００２１】
この場合、固着具９はスペーサ部材４、面板７を貫通して土台１２、１階の梁１３、あるいは、２階の梁１３、あるいは、１階又は２階の柱材１に固着されるので、従来の外張り断熱材の取付け構造のように断熱材５を貫通することなく固着でき、固着具９による固着が強固となる。
【００２２】
また、スペーサ部材４が柱材１の外面側に面板７を介して重なるように上記施工を行うことで、柱材１間の間隔と同じ間隔を隔てているスペーサ部２間の間隔に嵌め込み支持されている断熱材５が自動的に、柱材１間に対応した部分に正確に配置されることになり、柱材１間の断熱性を確実に確保することができる。
【００２３】
図６、図７はそれぞれ図１、図３に示す断熱パネル８を１階に施工する例を示しており、図８、図９はそれぞれ図４、図５に示す断熱パネル８を２階に施工する例を示している。
【００２４】
上記のように土台１２と１階の梁１３との外面側、又は、１階の梁１３と２階の梁１３との外面側に上記構成の断熱パネル８を配置して固着具９で固着した後、図示を省略しているが、上記断熱パネル８の外面側に胴縁を配置してスペーサ部材４の固定部１１に固着具により固着する。胴縁は縦胴縁または横胴縁であり、横胴縁の場合には上下に貫通する通気凹部を形成するか、又は横胴縁の端部間に隙間を設けて上下に貫通する通気隙間とする。
【００２５】
このように胴縁を固着した後、胴縁の外面側に外装材を取付け、断熱パネル８の外面と外装材との間の通気空所を空気が通気するようにする。
【図面の簡単な説明】
【００２６】
【図１】本発明の１階用の断熱パネルの一実施形態を示し、（ａ）は正面図であり、（ｂ）は（ａ）のＡ−Ａ線断面図であり、（ｃ）は（ａ）のＢ−Ｂ線断面図である。
【図２】（ａ）（ｂ）（ｃ）（ｄ）は同上の断熱パネルの形成順序を示す説明図である。
【図３】本発明の１階用の断熱パネルの他の実施形態を示し、（ａ）は正面図であり、（ｂ）は図１（ａ）のＡ−Ａ線断面図であり、（ｃ）は図１（ａ）のＢ−Ｂ線断面図である。
【図４】本発明の２階用の断熱パネルの一実施形態を示し、（ａ）は正面図であり、（ｂ）は図１（ａ）のＡ−Ａ線断面図であり、（ｃ）は図１（ａ）のＢ−Ｂ線断面図である。
【図５】本発明の２階用の断熱パネルの他の実施形態を示し、（ａ）は正面図であり、（ｂ）は図１（ａ）のＡ−Ａ線断面図であり、（ｃ）は図１（ａ）のＢ−Ｂ線断面図である。
【図６】同上の図１に示す１階用の断熱パネルを１階に施工した例を示し、（ａ）は施工状態における図１（ａ）のＡ−Ａの断面図であり、（ｂ）は施工状態における図１（ａ）のＢ−Ｂ線の断面図である。
【図７】同上の図３に示す断熱パネルを１階に施工した例を示し、（ａ）は施工状態における図３（ａ）のＡ−Ａの断面図であり、（ｂ）は施工状態における図３（ａ）のＢ−Ｂ線の断面図である。
【図８】同上の図４に示す断熱パネルを２階に施工した例を示し、（ａ）は施工状態における図４（ａ）のＡ−Ａの断面図であり、（ｂ）は施工状態における図４（ａ）のＢ−Ｂ線の断面図である。
【図９】同上の図５に示す断熱パネルを２階に施工した例を示し、（ａ）は施工状態における図５（ａ）のＡ−Ａの断面図であり、（ｂ）は施工状態における図５（ａ）のＢ−Ｂ線の断面図である。
【符号の説明】
【００２７】
１  柱材
２  スペーサ部
３  連設部
４  スペーサ部材
５  断熱材
６  嵌め込み凹部
７  面板
８  断熱パネル
【図１】
2010126916.tif 000003
【図２】
2010126916.tif 000004
【図３】
2010126916.tif 000005
【図４】
2010126916.tif 000006
【図５】
2010126916.tif 000007
【図６】
2010126916.tif 000008
【図７】
2010126916.tif 000009
【図８】
2010126916.tif 000010
【図９】
2010126916.tif 000011